(57)【特許請求の範囲】
【請求項１】
一つまたは複数のコンピューティング装置が、複数の電気消費装置のそれぞれにおけるエネルギー測定ユニットに記録された、その電気消費装置のエネルギー消費データを読み取り、各電気消費装置のエネルギー消費データは、複数の過去の所定の時間期間のそれぞれについて、その時間期間にわたるその電気消費装置による総合的なエネルギー使用を示し、各エネルギー測定ユニットが、前記電気消費装置の一つの一部であり、各エネルギー測定ユニットは実質的に一意的な識別子（ID）を有しており、前記実質的に一意的なIDが世界的一意識別子（UUID）であり、
前記一つまたは複数のコンピューティング装置がさらに、前記複数の過去の所定の時間期間のそれぞれについて前記エネルギー消費データを集計することに基づいて、前記複数の過去の所定の時間期間を追った前記複数の電気消費装置にまたがるエネルギー消費パターンを決定する、
方法。
【請求項２】
前記エネルギー消費データを読み取る処理が、前記エネルギー測定ユニットから前記エネルギー消費データを、電気消費リーダーを介して無線で読み取ることを含む、請求項１記載の方法。
【請求項３】
一つまたは複数のプロセッサと、
前記一つまたはプロセッサによって実行可能な命令を含む、前記一つまたは複数のプロセッサに結合されたメモリとを有するシステムであって、
前記命令は、前記一つまたは複数のプロセッサに、
複数の電気消費装置のそれぞれにおけるエネルギー消費データにアクセスする処理を実行させ、各電気消費装置におけるエネルギー消費データは、複数の過去の所定の時間期間のそれぞれについて、その時間期間にわたるその電気消費装置による総合的なエネルギー使用を示し、前記電気消費装置による前記総合的なエネルギー消費は、前記電気消費装置におけるエネルギー測定ユニットが、のちのアクセスのために各時間期間について測定および記録したものであり、各エネルギー測定ユニットは実質的に一意的な識別子（ID）を有しており、前記実質的に一意的なIDが世界的一意識別子（UUID）であり、各電気消費装置は独自のエネルギー測定ユニットを有しており、前記エネルギー測定ユニットの一つまたは複数がそれぞれ、前記電気消費装置の一つの一部であり、
前記命令はさらに、前記一つまたは複数のプロセッサに、
前記複数の過去の所定の時間期間のそれぞれについて前記エネルギー消費データを集計することに基づいて、前記複数の過去の所定の時間期間を追った前記複数の電気消費装置にまたがるエネルギー消費パターンを決定する処理を実行させる、
システム。
【請求項４】
前記エネルギー消費データにアクセスにアクセスする処理が、前記電気消費装置とは別個の電気消費リーダーが前記エネルギー測定ユニットから前記エネルギー消費データを読むことを含む、請求項３記載のシステム。
【請求項５】
前記電気消費リーダーが、前記エネルギー測定ユニットから前記エネルギー消費データを無線で読むよう動作可能である、請求項４記載のシステム。
【請求項６】
前記電気消費リーダーが、WI-FI接続、ブルートゥース接続、ジグビー接続および赤外線接続のうちの一つまたは複数を使って、前記エネルギー測定ユニットから前記エネルギー消費データを無線で読むよう動作可能である、請求項５記載のシステム。
【請求項７】
所定の時間期間について電気消費装置による総合的なエネルギー使用を測定する処理が、その所定の時間期間について前記電気消費装置による総合的なエネルギー使用を計算することを含む、請求項３記載のシステム。
【請求項８】
前記総合的なエネルギー使用がワット時またはキロワット時の単位で測られる、請求項３記載のシステム。
【請求項９】
前記所定の時間期間のそれぞれが、１分、１時間または１日の長さをもつ、請求項３記載のシステム。
【請求項１０】
前記所定の時間期間のそれぞれが、ユーザーによって調整されることのできる長さをもつ、請求項３記載のシステム。
【請求項１１】
前記電気消費装置がデータ・センターにあるサーバーである、請求項３記載のシステム。
【請求項１２】
コンピュータ・プログラムを記録したコンピュータ読み取り可能な記録媒体であって、前記コンピュータ・プログラムは、一つまたは複数のコンピュータ・システムに、
複数の電気消費装置のそれぞれにおけるエネルギー消費データにアクセスする処理を実行させ、各電気消費装置におけるエネルギー消費データは、複数の過去の所定の時間期間のそれぞれについて、その時間期間にわたるその電気消費装置による総合的なエネルギー使用を示し、前記電気消費装置による前記総合的なエネルギー消費は、前記電気消費装置におけるエネルギー測定ユニットが、のちのアクセスのために各時間期間について測定および記録したものであり、各エネルギー測定ユニットは実質的に一意的な識別子（ID）を有しており、前記実質的に一意的なIDが世界的一意識別子（UUID）であり、各電気消費装置は独自のエネルギー測定ユニットを有しており、前記エネルギー測定ユニットの一つまたは複数がそれぞれ、前記電気消費装置の一つの一部であり、
前記コンピュータ・プログラムはさらに、前記一つまたは複数のコンピュータ・システムに、
前記複数の過去の所定の時間期間のそれぞれについて前記エネルギー消費データを集計することに基づいて、前記複数の過去の所定の時間期間を追った前記複数の電気消費装置にまたがるエネルギー消費パターンを決定する処理を実行させる、
記録媒体。
【請求項１３】
システムであって、
複数の電気消費装置のそれぞれにおけるエネルギー消費データにアクセスする手段を有し、各電気消費装置におけるエネルギー消費データは、複数の過去の所定の時間期間のそれぞれについて、その時間期間にわたるその電気消費装置による総合的なエネルギー使用を示し、前記電気消費装置による前記総合的なエネルギー消費は、前記電気消費装置におけるエネルギー測定ユニットが、のちのアクセスのために各時間期間について測定および記録したものであり、各エネルギー測定ユニットは実質的に一意的な識別子（ID）を有しており、前記実質的に一意的なIDが世界的一意識別子（UUID）であり、各電気消費装置は独自のエネルギー測定ユニットを有しており、前記エネルギー測定ユニットの一つまたは複数がそれぞれ、前記電気消費装置の一つの一部であり、
当該システムはさらに、
前記一つまたは複数のコンピューティング装置がさらに、前記複数の過去の所定の時間期間のそれぞれについて前記エネルギー消費データを集計することに基づいて、前記複数の過去の所定の時間期間を追った前記複数の電気消費装置にまたがるエネルギー消費パターンを決定する手段を有する、
システム。
【請求項１４】
一つまたは複数のコンピューティング装置が、複数の電気消費装置のそれぞれにおけるエネルギー消費データにアクセスし、各電気消費装置におけるエネルギー消費データは、複数の過去の所定の時間期間のそれぞれについて、その時間期間にわたるその電気消費装置による総合的なエネルギー使用を示し、前記電気消費装置による前記総合的なエネルギー消費は、前記電気消費装置におけるエネルギー測定ユニットが、のちのアクセスのために各時間期間について測定および記録したものであり、各エネルギー測定ユニットは実質的に一意的な識別子（ID）を有しており、前記実質的に一意的なIDが世界的一意識別子（UUID）であり、各電気消費装置は独自のエネルギー測定ユニットを有しており、前記エネルギー測定ユニットの一つまたは複数がそれぞれ、前記電気消費装置の一つの一部であり、
前記一つまたは複数のコンピューティング装置がさらに、前記複数の過去の所定の時間期間のそれぞれについて前記エネルギー消費データを集計することに基づいて、前記複数の過去の所定の時間期間を追った前記複数の電気消費装置にまたがるエネルギー消費パターンを決定する、
方法。
【発明の詳細な説明】
【技術分野】
【０００１】
本開示は概括的には電気を消費する装置についてのエネルギー消費の管理に関する。
【背景技術】
【０００２】
エネルギー節約は環境上その他の観点からますます重要になりつつある。
【発明の概要】
【発明が解決しようとする課題】
【０００３】
スマートなエネルギー・ソリューション（たとえば、エネルギー需要を解決するための環境にやさしくかつコスト効率のよいアプローチの採用）では、エネルギーを消費する装置について合理的なモデルおよび消費予測アルゴリズムを設計する前に、エネルギー消費または電気消費パターンを理解することが望ましい。
【図面の簡単な説明】
【０００４】
【図１】いくつかの電気消費装置を含む第一の例示的なシステムを示す図である。
【図２】いくつかの電気消費装置を含む第二の例示的なシステムを示す図である。
【図３】電気消費装置についてのエネルギー消費パターンを判別する例示的な方法を示す図である。
【図４】例示的なネットワーク環境を示す図である。
【図５】例示的なコンピュータ・システムを示す図である。
【発明を実施するための形態】
【０００５】
さまざまなエネルギー関係の用途のために、単一の電気消費装置の、または複数の電気消費装置にまたがってのエネルギー消費または電気消費のパターンを理解することが望ましい。現在、電気消費装置のエネルギー消費を測定する方法がある（たとえば、「キル・ア・ワット（Kill-A-Watt）」電気使用モニタ）が、そのような方法はみな特定の電気コンセントに束縛される。これは、装置があるコンセントから外されて別のコンセントに差し込まれると、第一のコンセントから収集された情報はその装置に無関係になってしまうということである。その結果、その装置の電気消費の全体的なマップを得ることは難しくなる。さらに、複数の電気消費装置が同じコンセントに接続される場合（たとえば延長コードやテーブルタップを使って）、個々の装置についての正確な指示値を得ることはできそうもない。
【０００６】
個別的実施形態は、各電気消費装置に電気測定ユニットを結合し、それにより電気測定ユニットが、関連付けられた電気消費装置についてのエネルギー消費またはエネルギー使用情報を収集できるようにする。その電気消費装置があるコンセントから別のコンセントに移されると、関連付けられた電気測定ユニットはその装置と一緒に動き、その電気消費装置についてのエネルギー消費情報の収集は中断されない。さらに、個別的実施形態では、電気消費リーダーが複数の電気消費装置のエネルギー消費情報を収集して、個々の装置についてのまたは複数の装置にまたがってのエネルギー消費パターンを判別できる。
【０００７】
図１および図２は、それぞれいくつかの電気消費装置１１０を含む二つの例示的なシステムを示している。システム中には電気消費装置１１０がいくつあってもよく（たとえば一つまたは複数）、システム中に異なる型の電気消費装置１１０があってもよい。たとえば、限定するものではないが、電気消費装置１１０は家庭電気製品（たとえば、テレビ、冷蔵庫、ストーブ、オーブン、トースター、食器洗い機、洗濯機または洗濯乾燥器）、コンピューティング装置もしくは電子装置（たとえばデスクトップ・コンピュータ、ノートブック・コンピュータ、プリンタ、電話またはサーバー）または電気消費システム（たとえば空調システムまたは照明システム）であってもよい。本開示は任意の型の電気消費装置１１０を考えている。
【０００８】
個別的実施形態では、各電気消費装置１１０は電気測定ユニット１２０に結合される。電気消費装置１１０と電気測定ユニット１２０を結合するには種々の方法がありうる。本開示は任意の好適な結合手段を考えている。図１に示した例示的なシステムでは、電気測定ユニット１２０は電気消費装置１１０内に（たとえば電気消費装置１１０のコンポーネントとして）組み込まれていてもよい。あるいはまた、図２に示した例示的なシステムでは、電気測定ユニット１２０は独立した装置であってもよく、電気消費装置１１０に接続される。たとえば、電気測定ユニット１２０は、関連付けられた電気消費装置１１０を電源（たとえばコンセント）に接続する電源コードまたはテーブルタップに組み込まれてもよい。個別的実施形態では、電気消費装置１１０に供給される電気はまず関連付けられた電気測定ユニット１２０を通る。
【０００９】
個別的実施形態では、電気測定ユニット１２０は電気測定コンポーネント、計算コンポーネント、記憶コンポーネントおよび通信コンポーネントを含む。電気測定コンポーネントは、該コンポーネントを通って関連付けられた電気消費装置１１０に流れる全電流を記録しうる。ある実装では、電気測定コンポーネントは電力消費または電流センサーを組み込んでいてもよい。計算コンポーネントは、所与の時刻において関連付けられた電気消費装置１１０についての全エネルギー使用を計算しうる。供給される電気の電圧（たとえば110Vまたは220V）を知ることによって、全エネルギー使用は全電流に基づいて計算されうる。通信コンポーネントは、たとえば限定するものではないが毎分、毎時または毎日など、あらかじめ定義されたまたはユーザーが指定した頻度または時間的周期もしくは時間期間に基づいて、指示値を集計してもよい。たとえば、エネルギー使用はワット時またはキロワット時で測ってもよい。デフォルトの頻度または周期があって、ユーザーがそれをカスタマイズまたは調整できてもよい。関連付けられた電気消費装置１１０のエネルギー使用情報は記憶コンポーネントに記憶されてもよい。
【００１０】
個別的実施形態では、各電気測定ユニット１２０は一意的なまたは実質的に一意的な識別子（ID）をもつ。たとえば、限定するものではないが、電気測定ユニット１２０の識別子はそのインターネット・プロトコル（IP:  Internet  Protocol）アドレスまたは媒体アクセス制御（MAC:  Media  Access  Control）アドレスまたは世界的一意識別子（UUID:  Universally  Unique  Identifier）であってもよい。本開示は電気測定ユニット１２０を一意的に同定する任意の好適な手段を考えている。各電気測定ユニット１２０はその一意的なIDによって同定されてもよい（たとえば特に、システム中に複数の電気測定ユニット１２０があるとき）。
【００１１】
個別的実施形態では、電気消費リーダー１３０は、各電気消費装置１１０のエネルギー使用情報を、その電気消費装置１１０に関連付けられた電気測定ユニット１２０から収集してもよい。特定の電気測定ユニット１２０から収集されたエネルギー使用情報は、その電気測定ユニット１２０のIDによって特定でき、そのため電気消費リーダー１３０はどのエネルギー使用情報がどのエネルギー消費装置１１０のものかを判別できる。電気使用リーダー１３０は各電気測定ユニット１２０と有線または無線接続を通じて通信できる。たとえば、限定するものではないが、電気消費リーダー１３０は電気測定ユニット１２０と、ユニバーサル・シリアル・バス（USB:  Universal  Serial  Bus）接続またはWi-Fi、ブルートゥース（Bluetooth）(登録商標)、ジグビー（Zigbee）(登録商標)または赤外線（IR）接続を通じて通信してもよい。
【００１２】
より具体的には、個別的実施形態では、電気測定ユニット１２０の通信コンポーネントは、電気消費リーダー１３０と通信するための通信プロトコルを実装できる。電気測定ユニット１２０の通信コンポーネントは、電気測定ユニット１２０の記憶コンポーネントからエネルギー使用情報を取得し、それを随時、または要求があったときに電気消費リーダー１３０に送ってもよい。ある実装では、システム中の電気消費リーダー１３０と各電気測定ユニット１２０との間に標準的な通信インターフェースがあってもよい。この場合、電気消費リーダー１３０は、同じ通信プロトコルまたは方法を使って、各電気測定ユニット１２０からエネルギー消費情報を取得できる。
【００１３】
図１および図２に示した例示的なシステムでは、電気消費リーダー１３０は、電気消費装置１１０または電気測定ユニット１２０とは別個の独立した装置である。この場合、単一の電気消費リーダー１３０が複数の電気消費装置１１０のエネルギー使用情報を、それぞれに関連付けられた電気測定ユニット１２０を通じて収集してもよい。あるいはまた、個別的実施形態では、電気消費リーダー１３０は電気測定ユニット１２０または電気消費装置１１０内に（電気測定ユニット１２０または電気消費装置１１０のコンポーネントとして）組み込まれていてもよい。この場合、電気消費リーダー１３０は関連付けられた電気消費装置１１０のエネルギー使用情報を、関連付けられた電気測定ユニット１２０の記憶コンポーネントから直接取得してもよい。
【００１４】
個別的実施形態では、電気消費リーダー１３０は、個々の電気消費装置１１０のエネルギー消費情報をユーザーに対して表示してもよい。たとえば、電気消費リーダー１３０は、電気消費装置１１０のエネルギー消費情報をユーザーに対して直接表示するための表示コンポーネント（たとえば画面）を含んでいてもよい。あるいはまた、電気消費リーダー１３０は、ネットワーク機能を有し、ネットワークに接続されていて、エネルギー消費情報がユーザーに対して、ウェブ・ベースのサービス（たとえば、グーグル・パワー・メーター・サービス）を通じて間接的に表示されるのでもよい。
【００１５】
さらに、個別的実施形態では、電気消費リーダー１３０は、電気消費装置１１０のエネルギー消費情報を集計して、単一の電気消費装置についての、または複数の電気消費装置１１０にわたっての一つまたは複数のエネルギー消費パターンを決定してもよい。エネルギー消費パターンはまた、直接的または間接的にユーザーに対して表示されてもよい。ある実装では、電気消費リーダー１３０は、エネルギー消費情報を集計し、エネルギー消費パターンを決定するためのソフトウェア・コンポーネントを含んでいてもよい。各電気測定ユニット１２０に一意的なIDを与えることにより、電気消費リーダー１３０のソフトウェア・コンポーネントは、エネルギー消費情報のどのセットがどの電気消費装置１１０に属するかを判別できる。ソフトウェア・コンポーネントは、システム中のどの特定の電気消費装置１１０の関連付けられた電気測定ユニット１２０が電気消費リーダー１３０に接続されているかと、その配置または構成（たとえばシステムのトポロジー）を判別できてもよい。
【００１６】
図３は、電気消費装置についてのエネルギー消費パターンを判別する例示的な方法を示している。個別的実施形態では、電気消費リーダーは、ステップ３１０に示されるように、電気消費装置のエネルギー消費情報を、その電気消費装置に関連付けられているまたは結合されている電気測定ユニットから取得してもよい。複数の電気消費装置がある場合、電気消費リーダーはそれら利用可能な電気消費装置のそれぞれのエネルギー消費情報を取得してもよい。電気消費装置のエネルギー消費情報は特定の時間期間（たとえば分、時間または日）についてであってもよく、その電気消費装置に関連付けられ結合された電気測定ユニットの一意的なIDによって特定されてもよい。
【００１７】
個別的実施形態では、電気消費リーダーは、ステップ３２０に示されるように、電気消費装置のエネルギー消費情報を集計して、単一の電気消費装置についての、または複数の電気消費装置にわたってのエネルギー消費パターンを決定してもよい。たとえば、特定の電気消費装置が与えられたとして、電気消費リーダーは、その電気消費装置のエネルギー消費情報の複数のセット（たとえば、一日のうちの種々の時間帯または一週間のうちの種々の日のエネルギー消費情報）を集計して、その電気消費装置のエネルギー消費パターンを決定してもよい。もう一つの例として、複数の電気消費装置がある場合、電気消費リーダーは、一つまたは複数の利用可能な電気消費装置のエネルギー消費情報の複数のセットを集計して、それら複数の電気消費装置についてのエネルギー消費パターンを決定してもよい。
【００１８】
図３に示される方法は、多くの実際的な用途をもつ。たとえば、電気消費装置はデータ・センターまたはサーバー・ファーム（server  farm）におけるサーバーであってもよく、その場合、データ・センターまたはサーバー・ファームのエネルギー消費パターンが決定されてもよい。もう一つの例として、電気消費装置は部屋、家、ビルのフロア、ビル全体または近隣にある諸装置であってもよく、その場合、部屋、家、フロア、ビルまたは近隣のエネルギー消費パターンが決定されてもよい。
【００１９】
時に、電気消費装置は内部または外部のバッテリーから電力を受け取ることがある。バッテリーの寿命はバッテリーが電気消費装置に電力を供給する時間の全長さ（たとえば時間数）およびバッテリーが保持する電荷量または電流容量に関係する。図３に示す方法は、バッテリーまたは電気消費装置の期待寿命を推定するために使用してもよい。
【００２０】
個別的実施形態は、ネットワーク環境において実装されることもある。図４は例示的なネットワーク環境４００を示している。ネットワーク環境４００は、一つまたは複数のサーバー４２０および一つまたは複数のクライアント４３０を互いに結合するネットワーク４１０を含む。個別的実施形態では、ネットワーク４１０はイントラネット、エクストラネット、仮想閉域網（VPN:  virtual  private  network）、ローカル・エリア・ネットワーク（LAN:  local  area  network）、無線LAN（WLAN）、広域ネットワーク（WAN:  wide  area  network）、都市圏ネットワーク（MAN:  metropolitan  area  network）、インターネットの一部または他のネットワーク４１０またはそれらのネットワークの二つ以上の組み合わせである。本開示は任意の好適なネットワーク４１０を考えている。
【００２１】
一つまたは複数のリンク４５０がサーバー４２０またはクライアント４３０をネットワーク４１０に結合する。個別的実施形態では、一つまたは複数のリンク４５０はそれぞれ一つまたは複数の有線、無線または光学式リンク４５０を含む。個別的実施形態では、一つまたは複数のリンク４５０はそれぞれイントラネット、エクストラネット、VPN、LAN、WLAN、WAN、MAN、インターネットの一部または他のリンク４５０または二つ以上のそのようなリンク４５０の組み合わせを含む。本開示は、サーバー４２０とクライアント４３０をネットワーク４１０に結合する任意の好適なリンク４５０を考えている。
【００２２】
個別的実施形態では、各サーバー４２０は、単体のサーバーであってもよいし、あるいは複数のコンピュータまたは複数のデータ・センターにまたがる分散型のサーバーであってもよい。サーバー４２０はさまざまな型のものであってもよく、たとえば、限定するものではないが、ウェブ・サーバー、ニュース・サーバー、メール・サーバー、メッセージ・サーバー、広告サーバー、ファイル・サーバー、アプリケーション・サーバー、交換サーバー、データベース・サーバーまたはプロキシ・サーバーなどでもよい。個別的実施形態では、各サーバー４２０は、サーバー４２０によって実装またはサポートされる適切な機能を実行するための、ハードウェア、ソフトウェアまたは組み込み論理コンポーネントまたは二つ以上のそのようなコンポーネントの組み合わせを含んでいてもよい。たとえば、ウェブ・サーバーは一般にウェブ・ページまたはウェブ・ページの個々の要素を含むウェブサイトをホストする機能をもつ。より具体的には、ウェブ・サーバーはHTMLファイルまたは他の型のファイルをホストしてもよく、あるいは要求があったときに動的にファイルを生成または構成して、クライアント４３０からのHTTPまたは他の要求に応答してそれをクライアント４３０に通信してもよい。メール・サーバーは一般にさまざまなクライアント４３０に電子メール・サービスを提供する機能をもつ。データベース・サーバーは一般に、一つまたは複数のデータ記憶部に記憶されたデータを管理するためのインターフェースを提供する機能をもつ。
【００２３】
個別的実施形態では、一つまたは複数のデータ記憶装置４４０が一つまたは複数のサーバー４２０に一つまたは複数のリンク４５０を介して通信上リンクされてもよい。個別的実施形態では、データ記憶装置４４０はさまざまな型の情報を記憶するために使われてもよい。個別的実施形態では、データ記憶装置４４０に記憶された情報は、特定のデータ構造に従って編成されていてもよい。個別的実施形態では、各データ記憶装置４４０はリレーショナル・データベースであってもよい。個別的実施形態は、サーバー４２０またはクライアント４３０が、データ記憶装置４４０に記憶された情報を管理する、たとえば取得、修正、追加または削除することをできるようにするインターフェースを提供してもよい。
【００２４】
個別的実施形態では、各クライアント４３０は、クライアント４３０によって実装またはサポートされる適切な機能を実行する機能をもつ、ハードウェア、ソフトウェアまたは組み込み論理コンポーネントまたは二つ以上のそのようなコンポーネントの組み合わせを含んでいてもよい。たとえば、限定するものではないが、クライアント４３０はデスクトップ・コンピュータ・システム、ノートブック・コンピュータ・システム、ネットブック・コンピュータ・システム、ハンドヘルド電子装置または携帯電話であってもよい。本開示は任意の好適なクライアント４３０を考えている。クライアント４３０は、クライアント４３０のところにいるネットワーク・ユーザーがネットワーク４３０にアクセスできるようにしてもよい。クライアント４３０は、そのユーザーが、他のクライアント４３０のところにいる他のユーザーと通信できるようにしてもよい。
【００２５】
クライアント４３０はマイクロソフト・インターネット・エクスプローラー、グーグル・クロームまたはモジラ・ファイアフォックスといったウェブ・ブラウザ４３２を有していてもよく、一つまたは複数のアドオン、プラグインまたはツールバーまたはヤフー・ツールバーといった他の拡張を有していてもよい。クライアント４３０のところにいるユーザーは、ウェブ・ブラウザ４３２をサーバー４２０に差し向ける一様リソース位置指定子（URL:  Uniform  Resource  Locator）または他のアドレスを入力してもよく、ウェブ・ブラウザ４３２はハイパー・テキスト転送プロトコル（HTTP:  Hyper  Text  Transfer  Protocol）要求を生成し、該HTTP要求をサーバー４２０に通信してもよい。サーバー４２０はHTTP要求を受け容れ、該HTTP要求に応答して、クライアント４３０に一つまたは複数のハイパーテキスト・マークアップ言語（HTML:  Hyper  Text  Markup  Language）ファイルを通信してもよい。クライアント４３０は、ユーザーへの提示のためにサーバー４２０からのHTMLファイルに基づいてウェブ・ページをレンダリングしてもよい。本開示は任意の好適なウェブ・ページ・ファイルを考えている。一例として、限定するわけではないが、ウェブ・ページは、個別のニーズに応じて、HTMLファイル、拡張可能ハイパーテキスト・マークアップ言語（XHTML:  Extensible  Hyper  Text  Markup  Language）ファイルまたは拡張可能マークアップ言語（XML:  Extensible  Markup  Language）ファイルからレンダリングされてもよい。そのようなページはまた、限定するものではないがたとえば、ジャバスクリプト、ジャバ、マイクロソフト・シルヴァーライト（SILVERLIGHT）で書かれているようなスクリプトやAJAX（Asynchronous  JAVASCRIPT(登録商標)  and  XML［非同期ジャバスクリプトおよびXML］）のようなマークアップ言語とスクリプトの組み合わせなどを実行してもよい。ここで、適切な場合には、ウェブ・ページへの言及は、（該ウェブ・ページを表現するためにブラウザーが使用しうる）一つまたは複数の対応するウェブ・ページ・ファイルを包含し、逆もまたしかりである。
【００２６】
個別的実施形態は、一つまたは複数のコンピュータ・システム上で実装されてもよい。図５は、例示的なコンピュータ・システム５００を示している。たとえば、システム５００は、図１および図２に示される電気消費リーダーであってもよい。個別的実施形態では、一つまたは複数のコンピュータ・システム５００が、本稿で記載または図示される一つまたは複数の方法の一つまたは複数のステップを実行する。個別的実施形態では、一つまたは複数のコンピュータ・システム５００は本稿で記載または図示される機能を提供する。個別的実施形態では、一つまたは複数のコンピュータ・システム５００上で走るソフトウェアが本稿で記載または図示される一つまたは複数の方法の一つまたは複数のステップを実行し、あるいは本稿で記載または図示される機能を提供する。個別的実施形態は、一つまたは複数のコンピュータ・システム５００の一つまたは複数の部分を含む。
【００２７】
本開示は、任意の好適な数のコンピュータ・システム５００を考えている。本開示は、任意の好適な物理的形態を取るコンピュータ・システム５００を考えている。例として、限定するわけではないが、コンピュータ・システム５００は組み込みコンピュータ・システム、システム・オン・チップ（SOC:  system-on-chip）、単一ボード・コンピュータ・システム（SBC:  single-board  computer  system）（たとえばコンピュータ・オン・モジュール（COM:  computer-on-module）またはシステム・オン・モジュール（SOM:  system-on-module）のような）、デスクトップ・コンピュータ・システム、ラップトップまたはノートブック・コンピュータ・システム、対話的キオスク、メインフレーム、コンピュータ・システムのメッシュ、携帯電話、携帯情報端末（PDA:  personal  digital  assistant）、サーバーまたはこれらの二つ以上の組み合わせであってもよい。適宜、コンピュータ・システム５００は一つまたは複数のコンピュータ・システム５００を含んでいてもよいし、単体でも分散式でもよいし、複数の位置にまたがってもよいし、複数の機械にまたがってもよいし、クラウドに存在してもよい。クラウドは、一つまたは複数のネットワークにおける一つまたは複数のクラウド・コンポーネントを含んでいてもよい。適宜、一つまたは複数のコンピュータ・システム５００は、実質的な空間的または時間的制約なしに、本稿で記載または図示される一つまたは複数の方法の一つまたは複数のステップを実行してもよい。一例として、限定するわけではないが、一つまたは複数のコンピュータ・システム５００は、リアルタイムで、あるいはバッチ・モードで、本稿で記載または図示される一つまたは複数の方法の一つまたは複数のステップを実行してもよい。一つまたは複数のコンピュータ・システム５００は、本稿で記載または図示される一つまたは複数の方法の一つまたは複数のステップを、適切な場合には、異なる複数の時間に、あるいは異なる複数の位置で、実行してもよい。
【００２８】
個別的実施形態では、コンピュータ・システム５００はプロセッサ５０２、メモリ５０４、記憶装置５０６、入出力（I/O）インターフェース５０８、通信インターフェース５１０およびバス５１２を含む。本開示は具体的な数の具体的なコンポーネントを具体的な構成で有する具体的なコンピュータ・システムを記載および図示しているが、本開示は任意の好適な数の任意の好適なコンポーネントを任意の好適な構成で有する任意の好適なコンピュータ・システムを考えている。
【００２９】
個別的実施形態では、プロセッサ５０２は、コンピュータ・プログラムをなす命令のような命令を実行するためのハードウェアを含む。一例として、限定するわけではないが、命令を実行するために、プロセッサ５０２は内部レジスタ、内部キャッシュ、メモリ５０４または記憶装置５０６から命令を取得（またはフェッチ）し、それらの命令をデコードおよび実行し、次いで一つまたは複数の結果を内部レジスタ、内部キャッシュ、メモリ５０４または記憶装置５０６に書き込んでもよい。個別的実施形態では、プロセッサ５０２はデータ、命令またはアドレスのための一つまたは複数の内部キャッシュを含んでいてもよい。本開示は、適宜、任意の好適な数の任意の好適な内部キャッシュを含むプロセッサ５０２を考えている。一例として、限定するわけではないが、プロセッサ５０２は一つまたは複数の命令キャッシュ、一つまたは複数のデータ・キャッシュおよび一つまたは複数のトランスレーション・ルックアサイド・バッファ（TLB:  translation  lookaside  buffer）を含んでいてもよい。命令キャッシュ中の命令は、メモリ５０４または記憶装置５０６中の命令のコピーであってもよく、命令キャッシュはプロセッサ５０２によるそれらの命令の取得を高速化しうる。データ・キャッシュ中のデータはプロセッサ５０２で実行中の命令が作用するメモリ５０４または記憶装置５０６中のデータのコピーであってもよく、プロセッサ５０２で実行されるその後の命令によるアクセスのためまたはメモリ５０４もしくは記憶装置５０６への書き込みのための、プロセッサ５０２で実行された前の命令の結果であってもよく、あるいは他の好適なデータであってもよい。データ・キャッシュは、プロセッサ５０２による読み出しまたは書き込み動作を高速化しうる。TLBは、プロセッサ５０２のための仮想アドレス変換を高速化しうる。個別的実施形態では、プロセッサ５０２は、データ、命令またはアドレスのための一つまたは複数の内部レジスタを含んでいてもよい。本開示は、適宜、任意の好適な数の任意の好適な内部レジスタを含むプロセッサ５０２を考えている。適切な場合には、プロセッサ５０２は、一つまたは複数の算術論理ユニット（ALU:  arithmetic  logic  unit）を含んでいてもよく、マルチコア・プロセッサであってもよく、あるいは一つまたは複数のプロセッサ５０２を含んでいてもよい。本開示は具体的なプロセッサを記載および図示しているが、本開示は任意の好適なプロセッサを考えている。
【００３０】
個別的実施形態では、メモリ５０４は、プロセッサ５０２が実行するための命令およびプロセッサ５０２が作用するためのデータを記憶するためのメイン・メモリを含む。一例として、限定するわけではないが、コンピュータ・システム５００は記憶装置５０６または他の源（たとえば別のコンピュータ・システム５００のような）から命令をメモリ５０４にロードしてもよい。プロセッサ５０２は次いでメモリ５０４からの命令を内部レジスタまたは内部キャッシュにロードしてもよい。命令を実行するために、プロセッサ５０２は内部レジスタまたは内部キャッシュから命令を取得し、それをデコードしてもよい。命令の実行中または実行後に、プロセッサ５０２は一つまたは複数の結果（これは中間結果であってもよいし、最終結果であってもよい）を内部レジスタまたは内部キャッシュに書き込んでもよい。プロセッサ５０２は次いでそれらの結果のうちの一つまたは複数をメモリ５０４に書き込んでもよい。個別的実施形態では、プロセッサ５０２は、（記憶装置５０６やその他の箇所ではなく）一つまたは複数の内部レジスタまたは内部キャッシュ内またはメモリ５０４内の命令のみを実行し、（記憶装置５０６やその他の箇所ではなく）一つまたは複数の内部レジスタまたは内部キャッシュ内またはメモリ５０４内のデータに対してのみ演算する。一つまたは複数のメモリ・バス（これはそれぞれアドレス・バスおよびデータ・バスを含んでいてもよい）がプロセッサ５０２をメモリ５０４に結合してもよい。バス５１２は後述するように一つまたは複数のメモリ・バスを含んでいてもよい。個別的実施形態では、一つまたは複数のメモリ管理ユニット（MMU:  memory  management  unit）がプロセッサ５０２とメモリ５０４との間に存在し、プロセッサ５０２によって要求されるメモリ５０４へのアクセスを容易にする。個別的実施形態では、メモリ５０４はランダム・アクセス・メモリ（RAM）を含む。このRAMは適切であれば揮発性メモリであってもよい。適切であれば、このRAMは動的RAM（DRAM）または静的RAM（SRAM）であってもよい。さらに、適切であれば、このRAMは単一ポートまたはマルチポートのRAMであってもよい。本開示は任意の好適なRAMを考えている。メモリ５０４は適宜一つまたは複数のメモリ５０４を含んでいてもよい。本開示は具体的なメモリを記述および図示しているが、本開示は任意の好適なメモリを考えている。
【００３１】
個別的実施形態では、記憶装置５０６はデータまたは命令についての大容量記憶装置を含む。一例として、限定するわけではないが、記憶装置５０６はHDD、フロッピー(登録商標)ディスクドライブ、フラッシュ・メモリ、光ディスク、光磁気ディスク、磁気テープまたはユニバーサル・シリアル・バス（USB:  Universal  Serial  Bus）ドライブまたはこれらのうち二つ以上の組み合わせを含んでいてもよい。記憶装置５０６は、適宜、リムーバブルまたは非リムーバブルな（すなわち固定式の）メディアを含んでいてもよい。記憶装置５０６は適宜コンピュータ・システム５００の内部または外部であってもよい。個別的実施形態では、記憶装置５０６は不揮発性の半導体メモリであってもよい。個別的実施形態では、記憶装置５０６は読み出し専用メモリ（ROM）を含む。適切であれば、このROMはマスク・プログラムされたROM、プログラム可能型ROM（PROM）、消去可能型PROM（EPROM）、電気的消去可能型EPROM（EEPROM）、電気的変更可能型ROM（EAROM）またはフラッシュ・メモリまたはこれらのうち二つ以上の組み合わせであってもよい。本開示は、任意の好適な物理的形態を取る大容量記憶装置５０６を考えている。記憶装置５０６は、適宜、プロセッサ５０２と記憶装置５０６の間の通信を容易にする一つまたは複数の記憶装置制御ユニットを含んでいてもよい。適切であれば、記憶装置５０６は一つまたは複数の記憶装置５０６を含んでいてもよい。本開示は具体的な記憶装置を記載および図示するが、本開示は任意の好適な記憶装置を考えている。
【００３２】
個別的実施形態では、I/Oインターフェース５０８は、コンピュータ・システム５００と一つまたは複数のI/O装置との間の通信のための一つまたは複数のインターフェースを提供するためのハードウェア、ソフトウェアまたはその両方を含む。コンピュータ・システム５００は適宜、これらのI/O装置の一つまたは複数を含んでもよい。これらのI/O装置の一つまたは複数は、人とコンピュータ・システム５００の間の伝達を可能にしうる。一例として、限定するわけではないが、I/O装置はキーボード、キーパッド、マイクロホン、モニタ、マウス、プリンタ、スキャナ、スピーカー、スチール・カメラ、スタイラス、タブレット、タッチスクリーン、トラックボール、ビデオ・カメラ、他の好適なI/O装置またはこれらのうちの二つ以上の組み合わせを含んでいてもよい。I/O装置は一つまたは複数のセンサーを含んでいてもよい。本開示は任意の好適なI/O装置およびそのための任意の好適なI/Oインターフェース５０８を考えている。適切であれば、I/Oインターフェース５０８は、プロセッサ５０２がこれらのI/O装置の一つまたは複数を駆動できるようにする一つまたは複数の装置またはソフトウェア・ドライバを含んでいてもよい。I/Oインターフェース５０８は、適宜、一つまたは複数のI/Oインターフェース５０８を含んでいてもよい。本開示は具体的なI/Oインターフェースを記載および図示しているが、本開示は任意の好適なI/Oインターフェースを考えている。
【００３３】
個別的実施形態では、通信インターフェース５１０は、コンピュータ・システム５００と一つまたは複数の他のコンピュータ・システム５００または一つまたは複数のネットワークとの間の通信（たとえばパケット・ベースの通信）のための一つまたは複数のインターフェースを提供するハードウェア、ソフトウェアまたはその両方を含む。一例として、限定するわけではないが、通信インターフェース５１０は、イーサネット(登録商標)または他の有線ベースのネットワークと通信するためのネットワーク・インターフェース・コントローラ（NIC:  network  interface  controller）またはネットワーク・アダプター、あるいはWI-FIネットワークのような無線ネットワークと通信するための無線NIC（WNIC）または無線アダプターを含んでいてもよい。本開示は任意の好適なネットワークおよびそのための任意の好適な通信インターフェース５１０を考えている。一例として、限定するわけではないが、コンピュータ・システム５００はアドホック・ネットワーク、パーソナル・エリア・ネットワーク（PAN）、ローカル・エリア・ネットワーク（LAN）、広域ネットワーク（WAN）、都市圏ネットワーク（MAN）またはインターネットの一つまたは複数の部分またはこれらのうちの二つ以上の組み合わせと通信してもよい。これらのうち一つまたは複数のネットワークの一つまたは複数の部分は有線または無線であってもよい。一例として、コンピュータ・システム５００は無線PAN（WPAN）（たとえばブルートゥースWPANのような）、WI-FIネットワーク、WI-MAXネットワーク、携帯電話ネットワーク（たとえばグローバル移動通信システム（GSM(登録商標):  Global  System  for  Mobile  Communications）ネットワーク）または他の好適な無線ネットワークまたはこれらのうちの二つ以上の組み合わせと通信してもよい。コンピュータ・システム５００は、適宜、これらのネットワークのうちの任意のネットワークのために、任意の好適な通信インターフェース５１０を含んでいてもよい。通信インターフェース５１０は、適宜、一つまたは複数の通信インターフェース５１０を含んでいてもよい。本開示は具体的な通信インターフェースを記載および図示するが、本開示は任意の好適な通信インターフェースを考えている。
【００３４】
個別的実施形態では、バス５１２は、コンピュータ・システム５００のコンポーネントを互いと結合するハードウェア、ソフトウェアまたはその両方を含む。一例として、限定するわけではないが、バス５１２は、加速グラフィクス・ポート（AGP:  Accelerated  Graphics  Port）または他のグラフィクス・バス、向上業界標準アーキテクチャ（EISA:  Enhanced  Industry  Standard  Architecture）バス、フロントサイド・バス（FSB:  front-side  bus）、ハイパートランスポート（HT:  HYPERTRANSPORT）相互接続、業界標準アーキテクチャ（ISA:  Industry  Standard  Architecture）バス、インフィニバンド（INFINIBAND）相互接続、低ピン数（LPC:  low-pin-count）バス、メモリ・バス、マイクロチャネル・アーキテクチャ（MCA:  Micro  Channel  Architecture）バス、周辺コンポーネント相互接続（PCI:  Peripheral  Component  Interconnect）バス、PCIエクスプレス（PCI-X:  PCI-Express）バス、シリアル先進技術アタッチメント（SATA:  serial  advanced  technology  attachment）バス、ビデオ電子標準協会ローカル（VLB）バス（Video  Electronics  Standards  Association  local  bus）または他の好適なバスまたはこれらのうち二つ以上の組み合わせを含んでいてもよい。バス５１２は適宜一つまたは複数のバス５１２を含んでいてもよい。本開示は具体的なバスを記載および図示しているが、本開示は任意の好適なバスまたは相互接続を考えている。
【００３５】
本稿において、コンピュータ可読記憶媒体への言及は、構造を有する一つまたは複数の非一時的な有形のコンピュータ可読記憶媒体を包含する。一例として、限定するわけではないが、コンピュータ可読記憶媒体は、適宜、半導体ベースのまたは他の集積回路（IC）（たとえば、現場プログラム可能なゲート・アレイ（FPGA:  field-programmable  gate  array）または特定用途向けIC（ASIC:  application-specific  IC））、ハードディスク、HDD、ハイブリッド・ハードドライブ（HHD）、光ディスク、光ディスクドライブ（ODD）、光磁気ディスク、光磁気ドライブ、フロッピーディスク、フロッピーディスクドライブ（FDD）、磁気テープ、ホログラフィー記憶媒体、固体式ドライブ（SSD:  solid-state  drive）、RAMドライブ、セキュア・デジタル（SECURE  DIGITAL）カード、セキュア・デジタル（SECURE  DIGITAL）ドライブまたは他の好適なコンピュータ可読記憶媒体またはこれらのうちの二つ以上の組み合わせを含んでいてもよい。本稿では、コンピュータ可読記憶媒体への言及は、特許法のもとでの特許保護の資格のない媒体は除外する。本稿では、コンピュータ可読記憶媒体への言及は、信号伝達の一時的な形（伝搬する電気または電磁信号自身のような）は、それが特許法のもとでの特許保護の対象でない限りにおいて、除外する。コンピュータ可読な非一時的な記憶媒体は適宜、揮発性、不揮発性または揮発性と不揮発性の組み合わせであってもよい。
【００３６】
本開示は、任意の好適な記憶を実装する一つまたは複数のコンピュータ可読記憶媒体を考えている。個別的実施形態では、コンピュータ可読記憶媒体は、適宜、プロセッサ５０２の一つまたは複数の部分（たとえば一つまたは複数の内部レジスタまたはキャッシュのような）、メモリ５０４の一つまたは複数の部分、記憶装置５０６の一つまたは複数の部分またはこれらの組み合わせを実装する。個別的実施形態では、コンピュータ可読記憶媒体はRAMまたはROMを実装する。個別的実施形態では、コンピュータ可読記憶媒体は揮発性または持続性メモリを実装する。個別的実施形態では、一つまたは複数のコンピュータ可読記憶媒体がソフトウェアを具現する。本稿において、ソフトウェアへの言及は、適宜、一つまたは複数のアプリケーション、バイトコード、一つまたは複数のコンピュータ・プログラム、一つまたは複数の実行可能形式、一つまたは複数の命令、論理、機械コード、一つまたは複数のスクリプトまたはソース・コードを包含し、逆もまたしかりである。個別的実施形態では、ソフトウェアは一つまたは複数のアプリケーション・プログラミング・インターフェース（API）を含む。本開示は、任意の好適なプログラミング言語またはプログラミング言語の組み合わせで書かれたまたは他の仕方で表現された任意の好適なソフトウェアを考えている。個別的実施形態では、ソフトウェアはソース・コードまたはオブジェクト・コードとして表現される。個別的実施形態では、ソフトウェアはたとえばC、Perlまたはそれらの好適な拡張のような高レベル・プログラミング言語で表現される。個別的実施形態では、ソフトウェアは、アセンブリ言語（または機械コード）のような低レベル・プログラミング言語で表現される。個別的実施形態では、ソフトウェアはジャバ、CまたはC++で表現される。個別的実施形態では、ソフトウェアはハイパーテキスト・マークアップ言語（HTML）、拡張可能マークアップ言語（XML）または他の好適なマークアップ言語で表現される。
【００３７】
本願において、「または」／「もしくは」は、そうでないことが明示的に示されているかコンテキストから示されているのでない限り、包含的であって、排他的ではない。したがって、本稿において、「AまたはB」は、そうでないことが明示的に示されているかコンテキストから示されているのでない限り、「A、Bまたは両方」を意味する。さらに、「および」／「ならびに」は、そうでないことが明示的に示されているかコンテキストから示されているのでない限り、合同および各個の両方である。したがって、本稿において、「AおよびB」は、そうでないことが明示的に示されているかコンテキストから示されているのでない限り、「AおよびBが合同して、または各個に」を意味する。
【００３８】
本開示は、当業者が把握するような本稿に記載される例示的実施形態へのあらゆる変更、置換、変形、改変および修正を包含する。同様に、適切であれば、付属の請求項は、当業者が把握するような本稿に記載される例示的実施形態へのあらゆる変更、置換、変形、改変および修正を包含する。さらに、付属の請求項における、装置もしくはシステムまたは装置もしくはシステムのコンポーネントがある特定の機能を実行するよう適応されている、構成されている、機能を与えられている、構成設定されている、できるようにされている、動作可能である、動作するという言及は、その装置、システム、コンポーネントが、それ自身や該特定の機能がアクティブ化されたり、オンにされたり、アンロックされたりするかどうかによらず、その装置、システムまたはコンポーネントがそのように適応されている、構成されている、機能を与えられている、構成設定されている、できるようにされている、動作可能である、あるいは動作することを包含する。
【００３９】
以上の実施例を含む実施形態に関し、さらに以下の付記を開示する。
（付記１）
一つまたは複数のコンピューティング装置が、複数の電気消費装置のそれぞれにおけるエネルギー消費データにアクセスし、各電気消費装置におけるエネルギー消費データは、複数の過去の所定の時間期間のそれぞれについて、その時間期間にわたるその電気消費装置による総合的なエネルギー使用を示し、前記電気消費装置による前記総合的なエネルギー消費は、前記電気消費装置におけるエネルギー測定ユニットが、のちのアクセスのために各時間期間について測定および記録したものであり、各エネルギー測定ユニットは実質的に一意的な識別子（ID）を有しており、各電気消費装置は独自のエネルギー測定ユニットを有しており、
前記一つまたは複数のコンピューティング装置がさらに、前記エネルギー消費データに基づいて、少なくとも前記複数の過去の所定の時間期間にわたる前記複数の電気消費装置にまたがる一つまたは複数のエネルギー消費パターンを決定する、
方法。
（付記２）
前記エネルギー消費データにアクセスにアクセスする処理が、前記電気消費装置とは別個の電気消費リーダーが前記エネルギー測定ユニットから前記エネルギー消費データを読むことを含む、付記１記載の方法。
（付記３）
前記電気消費リーダーが、前記エネルギー測定ユニットから前記エネルギー消費データを無線で読むよう動作可能である、付記２記載の方法。
（付記４）
前記電気消費リーダーが、WI-FI接続、ブルートゥース接続、ジグビー接続および赤外線接続のうちの一つまたは複数を使って、前記エネルギー測定ユニットから前記エネルギー消費データを無線で読むよう動作可能である、付記３記載の方法。
（付記５）
前記エネルギー測定ユニットの一つまたは複数がそれぞれ、前記電気消費装置の一つの一部である、付記１記載の方法。
（付記６）
前記エネルギー測定ユニットの一つまたは複数がそれぞれ、前記電気消費装置とは別個であるが前記電気消費装置の一つに接続されている、付記１記載の方法。
（付記７）
前記電気消費装置とは別個であるが前記電気消費装置の一つに接続されている前記エネルギー測定ユニットの一つまたは複数がそれぞれ、前記電気消費装置を電源に接続する電源コードの一部である、付記６記載の方法。
（付記８）
前記実質的に一意的なIDがインターネット・プロトコル（IP）アドレスまたは世界的一意識別子（UUID）である、付記１記載の方法。
（付記９）
所定の時間期間について電気消費装置による総合的なエネルギー使用を測定する処理が、その所定の時間期間について前記電気消費装置による総合的なエネルギー使用を計算することを含む、付記１記載の方法。
（付記１０）
前記総合的なエネルギー使用がワット時またはキロワット時の単位で測られる、付記１記載の方法。
（付記１１）
前記所定の時間期間のそれぞれが、１分、１時間または１日の長さをもつ、付記１記載の方法。
（付記１２）
前記所定の時間期間のそれぞれが、ユーザーによって調整されることのできる長さをもつ、付記１記載の方法。
（付記１３）
前記電気消費装置がデータ・センターにあるサーバーである、付記１記載の方法。
（付記１４）
一つまたは複数のプロセッサと、
前記一つまたはプロセッサによって実行可能な命令を含む、前記一つまたは複数のプロセッサに結合されたメモリとを有するシステムであって、
前記命令は、前記一つまたは複数のプロセッサに、
複数の電気消費装置のそれぞれにおけるエネルギー消費データにアクセスする処理を実行させ、各電気消費装置におけるエネルギー消費データは、複数の過去の所定の時間期間のそれぞれについて、その時間期間にわたるその電気消費装置による総合的なエネルギー使用を示し、前記電気消費装置による前記総合的なエネルギー消費は、前記電気消費装置におけるエネルギー測定ユニットが、のちのアクセスのために各時間期間について測定および記録したものであり、各エネルギー測定ユニットは実質的に一意的な識別子（ID）を有しており、各電気消費装置は独自のエネルギー測定ユニットを有しており、
前記命令はさらに、前記一つまたは複数のプロセッサに、
前記エネルギー消費データに基づいて、少なくとも前記複数の過去の所定の時間期間にわたる前記複数の電気消費装置にまたがる一つまたは複数のエネルギー消費パターンを決定する処理を実行させる、
システム。
（付記１５）
前記エネルギー消費データにアクセスにアクセスする処理が、前記電気消費装置とは別個の電気消費リーダーが前記エネルギー測定ユニットから前記エネルギー消費データを読むことを含む、付記１４記載のシステム。
（付記１６）
前記電気消費リーダーが、前記エネルギー測定ユニットから前記エネルギー消費データを無線で読むよう動作可能である、付記１５記載のシステム。
（付記１７）
前記電気消費リーダーが、WI-FI接続、ブルートゥース接続、ジグビー接続および赤外線接続のうちの一つまたは複数を使って、前記エネルギー測定ユニットから前記エネルギー消費データを無線で読むよう動作可能である、付記１６記載のシステム。
（付記１８）
前記エネルギー測定ユニットの一つまたは複数がそれぞれ、前記電気消費装置の一つの一部である、付記１４記載のシステム。
（付記１９）
前記エネルギー測定ユニットの一つまたは複数がそれぞれ、前記電気消費装置とは別個であるが前記電気消費装置の一つに接続されている、付記１４記載のシステム。
（付記２０）
前記電気消費装置とは別個であるが前記電気消費装置の一つに接続されている前記エネルギー測定ユニットの一つまたは複数がそれぞれ、前記電気消費装置を電源に接続する電源コードの一部である、付記１９記載のシステム。
（付記２１）
前記実質的に一意的なIDがインターネット・プロトコル（IP）アドレスまたは世界的一意識別子（UUID）である、付記１４記載のシステム。
（付記２２）
所定の時間期間について電気消費装置による総合的なエネルギー使用を測定する処理が、その所定の時間期間について前記電気消費装置による総合的なエネルギー使用を計算することを含む、付記１４記載のシステム。
（付記２３）
前記総合的なエネルギー使用がワット時またはキロワット時の単位で測られる、付記１４記載のシステム。
（付記２４）
前記所定の時間期間のそれぞれが、１分、１時間または１日の長さをもつ、付記１４記載のシステム。
（付記２５）
前記所定の時間期間のそれぞれが、ユーザーによって調整されることのできる長さをもつ、付記１４記載のシステム。
（付記２６）
前記電気消費装置がデータ・センターにあるサーバーである、付記１４記載のシステム。
（付記２７）
コンピュータ・プログラムを記録したコンピュータ読み取り可能な記録媒体であって、前記コンピュータ・プログラムは、一つまたは複数のコンピュータ・システムに、
複数の電気消費装置のそれぞれにおけるエネルギー消費データにアクセスする処理を実行させ、各電気消費装置におけるエネルギー消費データは、複数の過去の所定の時間期間のそれぞれについて、その時間期間にわたるその電気消費装置による総合的なエネルギー使用を示し、前記電気消費装置による前記総合的なエネルギー消費は、前記電気消費装置におけるエネルギー測定ユニットが、のちのアクセスのために各時間期間について測定および記録したものであり、各エネルギー測定ユニットは実質的に一意的な識別子（ID）を有しており、各電気消費装置は独自のエネルギー測定ユニットを有しており、
前記コンピュータ・プログラムはさらに、前記一つまたは複数のコンピュータ・システムに、
前記エネルギー消費データに基づいて、少なくとも前記複数の過去の所定の時間期間にわたる前記複数の電気消費装置にまたがる一つまたは複数のエネルギー消費パターンを決定する処理を実行させる、
記録媒体。
（付記２８）
前記エネルギー消費データにアクセスにアクセスする処理が、前記電気消費装置とは別個の電気消費リーダーが前記エネルギー測定ユニットから前記エネルギー消費データを読むことを含む、付記２７記載の記録媒体。
（付記２９）
前記電気消費リーダーが、前記エネルギー測定ユニットから前記エネルギー消費データを無線で読むよう動作可能である、付記２８記載の記録媒体。
（付記３０）
前記電気消費リーダーが、WI-FI接続、ブルートゥース接続、ジグビー接続および赤外線接続のうちの一つまたは複数を使って、前記エネルギー測定ユニットから前記エネルギー消費データを無線で読むよう動作可能である、付記２９記載の記録媒体。
（付記３１）
前記エネルギー測定ユニットの一つまたは複数がそれぞれ、前記電気消費装置の一つの一部である、付記２７記載の記録媒体。
（付記３２）
前記エネルギー測定ユニットの一つまたは複数がそれぞれ、前記電気消費装置とは別個であるが前記電気消費装置の一つに接続されている、付記２７記載の記録媒体。
（付記３３）
前記電気消費装置とは別個であるが前記電気消費装置の一つに接続されている前記エネルギー測定ユニットの一つまたは複数がそれぞれ、前記電気消費装置を電源に接続する電源コードの一部である、付記３２記載の記録媒体。
（付記３４）
前記実質的に一意的なIDがインターネット・プロトコル（IP）アドレスまたは世界的一意識別子（UUID）である、付記２７記載の記録媒体。
（付記３５）
所定の時間期間について電気消費装置による総合的なエネルギー使用を測定する処理が、その所定の時間期間について前記電気消費装置による総合的なエネルギー使用を計算することを含む、付記２７記載の記録媒体。
（付記３６）
前記総合的なエネルギー使用がワット時またはキロワット時の単位で測られる、付記２７記載の記録媒体。
（付記３７）
前記所定の時間期間のそれぞれが、１分、１時間または１日の長さをもつ、付記２７記載の記録媒体。
（付記３８）
前記所定の時間期間のそれぞれが、ユーザーによって調整されることのできる長さをもつ、付記２７記載の記録媒体。
（付記３９）
前記電気消費装置がデータ・センターにあるサーバーである、付記２７記載の記録媒体。
（付記４０）
システムであって、
複数の電気消費装置のそれぞれにおけるエネルギー消費データにアクセスする手段を有し、各電気消費装置におけるエネルギー消費データは、複数の過去の所定の時間期間のそれぞれについて、その時間期間にわたるその電気消費装置による総合的なエネルギー使用を示し、前記電気消費装置による前記総合的なエネルギー消費は、前記電気消費装置におけるエネルギー測定ユニットが、のちのアクセスのために各時間期間について測定および記録したものであり、各エネルギー測定ユニットは実質的に一意的な識別子（ID）を有しており、各電気消費装置は独自のエネルギー測定ユニットを有しており、
当該システムはさらに、
前記一つまたは複数のコンピューティング装置がさらに、前記エネルギー消費データに基づいて、少なくとも前記複数の過去の所定の時間期間にわたる前記複数の電気消費装置にまたがる一つまたは複数のエネルギー消費パターンを決定する手段を有する、
システム。
（付記４１）
一つまたは複数のコンピューティング装置が、複数の電気消費装置のそれぞれにおけるエネルギー測定ユニットに記録された、その電気消費装置のエネルギー消費データを読み取り、各電気消費装置のエネルギー消費データは、複数の過去の所定の時間期間のそれぞれについて、その時間期間にわたるその電気消費装置による総合的なエネルギー使用を示し、
前記一つまたは複数のコンピューティング装置がさらに、前記エネルギー消費データに基づいて、少なくとも前記複数の過去の所定の時間期間にわたる前記複数の電気消費装置にまたがる一つまたは複数のエネルギー消費パターンを決定する、
方法。
（付記４２）
前記エネルギー消費データを読み取る処理が、前記エネルギー測定ユニットから前記エネルギー消費データを、電気消費リーダーを介して無線で読み取ることを含む、付記４１記載の方法。
（付記４３）
各エネルギー測定ユニットが、前記電気消費装置の一つの一部である、または
各エネルギー測定ユニットが、前記電気消費装置とは別個であるが前記電気消費装置の一つに接続されている、付記４１または４２記載の方法。
（付記４４）
前記電気消費装置とは別個であるが前記電気消費装置の一つに接続されている前記エネルギー測定ユニットが、前記電気消費装置の前記一つを電源に接続する電源コードの一部である、付記４３記載の方法。
【符号の説明】
【００４０】
１１０  電気消費装置
１２０  電気測定ユニット
１３０  電気消費リーダー
３１０  電気消費リーダーが、各電気消費装置のエネルギー消費データを、その電気消費装置に結合された電気測定ユニットから取得
３２０  電気消費リーダーが、複数の電気消費装置からのエネルギー消費データを集計して、複数の電器消費装置にわたるエネルギー消費パターンを決定
４００  ネットワーク環境
４１０  ネットワーク
４２０  サーバー
４３０  クライアント
４３２  ウェブ・ブラウザ
５００  コンピュータ・システム
５０２  プロセッサ
５０４  メモリ
５０６  記憶装置
５０８  I/Oインターフェース
５１０  通信インターフェース
【図１】
0006336705.tif 000002
【図２】
0006336705.tif 000003
【図３】
0006336705.tif 000004
【図４】
0006336705.tif 000005
【図５】
0006336705.tif 000006